【事件の表示】
　特願２０１５−１２６９１９「フェムトノードへのハンドインのための装置および方法」拒絶査定不服審判事件〔平成２７年１１月１９日出願公開，特開２０１５−２０８０３４〕について，次のとおり審決する。
【結　論】
　本件審判の請求は，成り立たない。
【理　由】
１　手続の経緯・本願発明
　本願は，２０１１年（平成２３年）１２月１日（パリ条約による優先権主張外国庁受理　２０１０年１２月１日　米国，２０１０年１２月１０日　米国，２０１１年１１月３０日　米国）を国際出願日とする出願である特願２０１３−５４２１８５号の一部を，平成２７年６月２４日に新たな特許出願としたものであって，平成２７年７月２１日に手続補正書が提出され，平成２８年５月３０日付けで拒絶理由が通知され，同年９月６日に意見書及び手続補正書が提出され，平成２９年２月１３日付けで拒絶理由が通知され，同年６月２６日に意見書が提出され，同年１２月２８日付けで拒絶査定がされ，これに対し，平成３０年５月１日に拒絶査定不服審判が請求されたものである。
　その請求項に係る発明は，平成２８年９月６日にされた手続補正により補正された特許請求の範囲の請求項１〜５４に記載された事項により特定されるものと認められるところ，その請求項１に係る発明（以下，「本願発明」という。）は以下のとおりのものである。
「(a1)　ワイヤレス通信のための方法であって，
(a2)　ターゲットフェムトノードに関連するプライマリスクランブリングコード（ＰＳＣ）を含む１つまたは複数のパラメータを備える，デバイスのためのハンドオーバーメッセージを受信することと，
(a3)　前記１つまたは複数のパラメータに一部基づいて，前記ＰＳＣを利用する１つまたは複数のフェムトノードに１つまたは複数のフィルタを適用し，前記１つまたは複数のフェムトノードの少なくとも１つのフェムトノードが前記ターゲットフェムトノードに相当するかどうかを判定することと，
(a4)　前記デバイスのハンドインを受け入れるために，前記少なくとも１つのフェムトノードを準備することと，を備え，
(a5)　ここにおいて，前記１つまたは複数のフィルタを前記適用することは，アップリンク（ＵＬ）受信信号強度インジケータ（ＲＳＳＩ）フィルタを前記１つまたは複数のフェムトノードに適用して，前記デバイスの存在が，前記１つまたは複数のフェムトノードにおいて測定されるＵＬ　ＲＳＳＩの上昇が閾値レベルを超えることを引き起こすかどうか，および／または，前記デバイスの存在が，ある期間にわたる前記ＵＬ　ＲＳＳＩの変化が少なくとも閾値の変化であることを引き起こすかどうかにしたがって，前記デバイスが存在すると判定することを備える，
　方法。」
２　原査定の拒絶の理由
　原査定の拒絶の理由は，「この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。」というものであり，請求項１に係る発明に対して以下の１．が引用され，周知技術を示すものとして以下の２．，７．〜９．が示されている。
　１．国際公開第２０１０／１３５４７１号
　２．Qualcomm  Europe，Mechanism for pre-Rel-9 UE inbound mobility，3GPP TSG-RAN WG3#65 R3-091870，２００９年８月２４日
　７．特開２００９−２５３５６９号公報
　８．国際公開第２００９／１４４９３０号
　９．国際公開第２００９／００１５５２号
３　引用発明等
（１）引用発明
　原査定の拒絶理由に引用された国際公開第２０１０／１３５４７１号（以下，「引用例」という。）には，図面とともに以下の事項が記載されている。
「[0048] A wireless communication system employing the teachings herein may be designed to implement one or more standards, such as IS-95, cdma2000, IS-856, W-CDMA, time division synchronous code division multiple access (TD-SCDMA) and other standards. A CDMA network may implement a radio technology such as Universal Terrestrial Radio Access (UTRA), cdma2000 or some other technology. UTRA includes W-CDMA and Low Chip Rate (LCR).
（中略）
[0076] Figure 5 is a timing diagram illustrating a mobile sensing approach to minimizing interference to wireless communication devices 504 near a femto access point 506. A femto access point 506 may broadcast downlink pilot signals 546. The downlink pilot signals 546 may be received by a wireless communication device 504 that is nearby the femto access point 506 but not part of the closed subscriber group (CSG) associated with the femto access point 506. The wireless communication device 504 may be in an active voice call. The wireless communication device 504 may communicate with a macro base station 502. Upon receiving the downlink pilot signals 546, the wireless communication device 504 may detect 548 the femto access point 506.
[0077] Upon detecting 548 the femto access point 506, the wireless communication device 504 may determine to handoff from the macro base station 502 to the femto access point 506 during the active call. To maintain the active call, the wireless communication device 504 may need to perform an active hand-in to the femto access point 506. In one configuration, the macro base station 502 may instead be another femto access point. The wireless communication device 504 may send a handoff request 550 to the macro base station 502. The macro base station 502 may forward the handoff request 552 to the core network 514. The core network 514 may be able to control some functions of a femto access point 506.
[0078] Information included in the handoff request 552 may not be sufficient to uniquely identify the hand-in target. A hand-in target refers to the requested target in a handoff request 552 (i.e., the femto access point 506). Upon receiving the handoff request 552, the core network 514 may determine 554 a list of possible hand-in targets. The hand-in targets on the list of hand-in targets may be femto access points that share the same pseudonoise (PN) code reported by the wireless communication device 504 in the Pilot Strength Measurement Message (PSMM) in the handoff request 552 along with other supplemental information regarding the vicinity of the wireless communication device 504.
[0079] To determine the unique hand-in target, a technique called mobile sensing may be used. In mobile sensing, the core network 514 may send a request 556 for uplink measurements of the wireless communication device 504 (which includes the uplink operating frequency of the wireless communication device 504) to each of the possible hand-in targets. The femto access point 506 may receive the request 556 and  tune 558 to the uplink operating frequency of the wireless communication device 504. The femto access point 506 may then receive uplink pilot signals 560 from the wireless communication device 504. The femto access point 506 may collect 561 uplink pilot signal strength measurements (i.e., energy per chip (Ecp)) over a certain time.
[0080] The femto access point 506 may send the uplink pilot signal strength measurements 562 to the core network 514. The core network 514 may receive uplink pilot signal strength measurements 562 from multiple femto access points that were on the list of possible hand-in targets. The core network 514 may then estimate 564 which of the possible hand-in targets is the unique hand-in target (in this case, the femto access point 506). Other techniques for determining the hand-in target may also be used, such as additional overhead messages sent by the femto access point 106.
[0081] The core network 514 may send a handoff information message 566 to the femto access point 506. Upon receiving the handoff information message 566, the femto access point 506 knows that the wireless communication device 504 is nearby (and that the wireless communication device 504 is not part of the closed subscriber group (CSG) corresponding to the femto access point 506). In one configuration, the femto access point 506 may determine that interference management is necessary based on the outcome of the mobile sensing. For example, the femto access point 506 may determine that interference management is necessary because the mobile sensing indicated that the femto access point 506 was the likely hand-in target.
[0082] Because the femto access point 506 knows the amount of radio frequency (RF) emissions created, the femto access point 506 may take preventative measures to create a coverage hole for the wireless communication device 504. For example, the femto access point 506 may adjust 568 transmit power to limit interference. As another example, the femto access point 506 may switch 570 carriers to limit interference.
[0083] Figure 6 illustrates the transmission of a handoff request 672 from a wireless communication device 604 to a core network 614. The wireless communication device 604 of Figure 6 may be one configuration of the wireless communication device 104 of Figure 1. The core network 614 of Figure 6 may be one configuration of the core network 114 of Figure 1. The wireless communication device 604 may send a handoff request 672 to the core network 614. Because the wireless communication device 604 cannot communicate directly with the core network 614, the wireless communication  device 604 may send the handoff request 672 to the core network 614 via a base station (such as a femto access point or a macro base station 102).
[0084] The handoff request 672 may include the downlink pilot signal-to-noise ratio (SNR) 674 of signals received by the wireless communication device 604 from the hand-in target. The handoff request 672 may also include the pseudonoise (PN) code 676 of the detected hand-in target. Due to the high reuse of pseudonoise (PN) codes 676 among different femto access points, the information in the handoff request 672 may not be sufficient for the core network 614 to uniquely identify the hand-in target. Instead, the core network 614 may use mobile sensing to uniquely identify the hand-in target. Mobile sensing was discussed above in relation to Figure 5 and is discussed in further detail below in relation to Figure 8.
[0085] Figure 7 is a flow diagram of a method 780 for interference management. The method 780 may be performed by the core network 114. In one configuration, the method 780 may be performed by an apparatus as part of the core network 114. The core network 114 may receive 782 a handoff request 672 from a wireless communication device 104. Because the wireless communication device 104 cannot communicate directly with the core network 114, the handoff request 672 may be received via a base station (such as a macro base station 102 or a femto access point).
[0086] The core network 114 may then determine 784 the femto access point 106 that is the hand-in target of the handoff request 672. Determining that a particular femto access point 106 is the hand-in target may be done in many ways. For example, a mobile sensing approach may be used to determine that a particular femto access point 106 is the hand-in target. Mobile sensing is discussed in further detail below in relation to Figure 8. As another example, additional information sent by the femto access point 106 may be used to identify the femto access point 106 as the hand-in target. The femto access point 106 may send additional information to the core network 114 in overhead messages that uniquely identify the femto access point 106 as the hand-in target. In this case, when a wireless communication device 104 requests a handoff, the core network 114 knows that the handoff request 672 corresponds to the femto access point 106.
[0087] The wireless communication device 104 may not be part of a closed subscriber group (CSG) associated with the femto access point 106. Because the wireless communication device 104 has attempted to handoff to the femto access point  106, the core network 114 may infer that the wireless communication device 104 is nearby the femto access point 106 and that the femto access point 106 should enable interference management.
[0088] The core network 114 may send 786 a handoff information message 566 to the femto access point 106. The handoff information message 566 may inform the femto access point 106 of the nearby wireless communication device 104 attempting to handoff to the femto access point 106. In one configuration, the handoff information message 566 may inform the femto access point 106 that it is the hand-in target. The handoff information message 566 may also include interference management instructions for the femto access point 106. For example, the handoff information message 566 may include specific instructions for the femto access point 106 to adjust transmit power or switch to a different carrier. In one configuration, the handoff information message 566 may include a dictated transmit power for the femto access point 106 to use. In another configuration, the handoff information message 566 may include a carrier selected by the network for the femto access point 106 to use.
[0089] The method 780 of Figure 7 described above may be performed by various hardware and/or software component(s) and/or module(s) corresponding to the means-plus-function blocks 780A illustrated in Figure 7A. In other words, blocks 782 through 786 illustrated in Figure 7 correspond to means-plus-function blocks 782A through 786A illustrated in Figure 7A. 
[0090] Figure 8 is a flow diagram of a method 700 for mobile sensing. The method 700 may be performed by the core network 114. In one configuration, the method 700 may be performed by an apparatus as part of the core network 114. The core network 114 may receive 702 a handoff request 672 from a wireless communication device 104. Because the wireless communication device 104 cannot communicate directly with the core network 114, the handoff request 672 may be received via a base station (such as a macro base station 102 or a femto access point).
[0091] The core network 114 may then determine 704 a list of possible hand-in targets. The list of possible hand-in targets may include femto access points that use the same pseudonoise (PN) code 676 as reported by the wireless communication device 104 in the handoff request 672. Based on the pseudonoise (PN) code 676 and other supplemental information regarding the vicinity of the wireless communication device  104, the core network 114 may determine 704 a reasonably sized list of possible hand-in targets.
[0092] The core network 114 may then request 706 uplink measurements for the wireless communication device 104 from each of the femto access points on the list of possible hand-in targets. This request may include the uplink operating frequency of the wireless communication device 104 so that each femto access point can measure the uplink pilot signal of the wireless communication device 104.
[0093] The core network 114 may receive 708 uplink measurements for the wireless communication device 104 from each of the femto access points on the list of possible hand-in targets. Based on the received uplink measurements for the wireless communication device 104, the core network 114 may estimate 710 which femto access point is the hand-in target (in this case, the femto access point 106 is the hand-in target). The core network 114 may then send 712 a handoff information message 566 to the hand-in target. The handoff information message 566 may instruct the femto access point 106 to adjust transmit power and/or switch carriers to limit interference.
[0094] The method 700 of Figure 8 described above may be performed by various hardware and/or software component(s) and/or module(s) corresponding to the means-plus-function blocks 700A illustrated in Figure 8A. In other words, blocks 702 through 712 illustrated in Figure 8 correspond to means-plus-function blocks 702A through 712A illustrated in Figure 8A.
[0095] Figure 9 is a flow diagram of another method 800 for interference management. The method 800 may be performed by a femto access point 106. The femto access point 106 may be the hand-in target for a wireless communication device 104. The femto access point 106 may receive 802 a request for uplink measurements of the wireless communication device 104 from the core network 114. As discussed above, the request for uplink measurements of the wireless communication device 104 may include the uplink pilot frequency used by the wireless communication device 104. The femto access point 106 may tune 804 to the uplink pilot frequency of the wireless communication device 104.
[0096] The femto access point 106 may then receive 806 uplink signals from the wireless communication device 104. For example, the femto access point 106 may receive the uplink pilot signal 112 transmitted by the wireless communication device  104. The femto access point 106 may generate 808 uplink measurements from the received uplink signals. The femto access point 106 may then send 810 the uplink measurements to the core network 114.
[0097] Once the core network 114 has identified the femto access point 106 as the possible hand-in target, the femto access point 106 may receive 812 a handoff information message 566 from the core network 114. When the femto access point 106 receives 812 a handoff information message 566 (and has thus been determined to be the hand-in target), the femto access point 106 knows that a nearby wireless communication device 104 communicating with a macro base station 102 (or other femto access point) can hear a pilot signal or beacon signal transmitted by the femto access point 106. Given that the wireless communication device 104 is not allowed to be served by the femto access point 106 (i.e., the wireless communication device 104 is not part of the closed subscriber group (CSG) associated with the femto access point 106), the femto access point 106 is likely to create a coverage hole for the wireless communication device 104.
[0098] The handoff information message 566 may include instructions for the femto access point 106. For example, the handoff information message 566 may instruct the femto access point 106 to adjust 814 the transmit power of the femto access point 106 to limit interference to the wireless communication device 104. In one configuration, the handoff information message 566 may indicate the adjusted transmit power to be used by the femto access point 106. In another configuration, the handoff information message 566 may only indicate that a change in transmit power is needed, allowing the femto access point 106 to determine the appropriate power adjustment. As another example, the handoff information message 566 may instruct the femto access point 106 to switch 816 carriers to limit interference to the wireless communication device 104. In one configuration, the handoff information message 566 may indicate which different carrier 242 the femto access point 106 is to switch to. In another configuration, the handoff information message 566 may only indicate that a switch is necessary, allowing the femto access point 106 to select a different carrier 242.
[0099] The method 800 of Figure 9 described above may be performed by various hardware and/or software component(s) and/or module(s) corresponding to the means-plus-function blocks 800A illustrated in Figure 9A. In other words, blocks 802 through  816 illustrated in Figure 9 correspond to means-plus-function blocks 802A through 816A illustrated in Figure 9A.」（１７〜２３ページ）
（［当審仮訳］：
[0048]　
ここにおける教示を利用する無線通信システムは，
Ｗ−ＣＤＭＡ，
のような１つまたは複数の標準規格を実装するように設計されうる。
（中略）
[0076]　図５は，フェムトアクセスポイント５０６の近くの無線通信デバイス５０４に対する干渉を最小化するモバイル探知手法を図示するタイミング図である。
フェムトアクセスポイント５０６は，ダウンリンクパイロット信号５４６をブロードキャストすることができる。
ダウンリンクパイロット信号５４６を受信すると，無線通信デバイス５０４は，フェムトアクセスポイント５０６を検出することができる（５４８）。
[0077]　
フェムトアクセスポイント５０６を検出すると（５４８），無線通信デバイス５０４は，アクティブな呼がある間にマクロ基地局５０２からフェムトアクセスポイント５０６へとハンドオフすることを決定することができる。アクティブな呼を維持するために，無線通信デバイス５０４は，フェムトアクセスポイント５０６へのアクティブハンドインを実行する必要がある。一構成では，マクロ基地局５０２は，代わりに，別のフェムトアクセスポイントである。無線通信デバイス５０４は，マクロ基地局５０２に対して，ハンドオフリクエスト５５０を送信する。マクロ基地局５０２は，コアネットワーク５１４に対してハンドオフリクエスト５５２を転送する。
[0078]　
ハンドオフリクエスト５５２に含まれる情報は，ハンドインターゲットをユニークに識別するのに十分でない場合がある。
ハンドオフリクエスト５５２を受信すると，コアネットワーク５１４は，可能性のあるハンドインターゲットのリストを決定する（５５４）。ハンドインターゲットのリスト上にあるハンドインターゲットは，無線通信デバイス５０４の周辺に関する他の補足情報とともにハンドオフリクエスト５５２のパイロット強度測定メッセージ（ＰＳＭＭ）において無線通信デバイス５０４によって報告された同じ擬似雑音（ＰＮ）コードを共有するフェムトアクセスポイントであってもよい。
[0079]　
ユニークなハンドインターゲットを決定するために，モバイル探知と呼ばれる技法が使用されうる。モバイル探知では，コアネットワーク５１４は，可能性のあるハンドインターゲットの各々に対して，無線通信デバイス５０４のアップリンク測定のためのリクエスト５５６を送信することができる
フェムトアクセスポイント５０６は，その後で，無線通信デバイス５０４から，アップリンクパイロット信号５６０を受信することができる。フェムトアクセスポイント５０６は，一定の時間にわたって，アップリンクパイロット信号測定値（すなわち，チップあたりのエネルギー（Ｅｃｐ））を集めることができる（５６１）
[0080]　
フェムトアクセスポイント５０６は，コアネットワーク５１４に対してアップリンクパイロット信号強度測定値５６２を送信することができる。コアネットワーク５１４は，可能性のあるハンドインターゲットのリスト上にあった複数のフェムトアクセスポイントからアップリンクパイロット信号強度測定値５６２を受信することができる。コアネットワーク５１４は，そのあとで，可能性のあるハンドインターゲットのうちのどれがユニークなハンドインターゲットであるかを推定することができる５６４（この場合はフェムトアクセスポイント５０６）。
[0081]　
コアネットワーク５１４は，フェムトアクセスポイント５０６に対して，ハンドオフ情報メッセージ５６６を送信する。
[0082]　フェムトアクセスポイント５０６は，生成された無線周波数（ＲＦ）の放射量を知っているので，フェムトアクセスポイント５０６は，無線通信デバイス５０４のためのカバレッジホールを生成するために予防策をとることができる。例えば，フェムトアクセスポイント５０６は，干渉を制限するために，送信電力を調整することができる（５６８）。別の例として，フェムトアクセスポイント５０６は，干渉を制限するために，キャリアを切り替えることができる（５７０）。
[0083]　図６は，無線通信デバイス６０４からコアネットワーク６１４へのハンドオフリクエスト６７２の送信を図示する。図６の無線通信デバイス６０４は，図１の無線通信デバイス１０４の一構成であることができる。図６のコアネットワーク６１４は，図１のコアネットワーク１１４の一構成であることができる。無線通信デバイス６０４は，コアネットワーク６１４に対して，ハンドオフリクエスト６７２を送信することができる。無線通信デバイス６０４がコアネットワーク６１４と直接通信することができないため，無線通信デバイス６０４は，（フェムトアクセスポイントまたはマクロ基地局１０２のような）基地局を介してコアネットワーク６１４に対してハンドオフリクエスト６７２を送信することができる。
[0084]　
ハンドオフリクエスト６７２は，ハンドインターゲットから無線通信デバイス６０４によって受信された信号のダウンリンクパイロット信号対雑音比（ＳＮＲ）６７４を含みうる。ハンドオフリクエスト６７２はまた，検出されたハンドインターゲットの擬似雑音（ＰＮ）コード６７６を含みうる。異なるフェムトアクセスポイントの中で擬似雑音（ＰＮ）コード６７６をよく再使用することによって，ハンドオフリクエスト６７２における情報は，コアネットワーク６１４がハンドインターゲットをユニークに識別するのに十分でないことがある。代わりに，コアネットワーク６１４は，ハンドインターゲットをユニークに識別するためにモバイル探知を使用することができる。
[0085]　図７は，干渉管理のための方法７８０のフロー図である。方法７８０は，コアネットワーク１１４によって実行されうる。一構成では，方法７８０は，コアネットワーク１１４の一部として装置によって実行されうる。コアネットワーク１１４は，無線通信デバイス１０４からハンドオフリクエスト６７２を受信する（７８２）。無線通信デバイス１０４はコアネットワーク１１４と直接通信することができないので，ハンドオフリクエスト６７２は，基地局（例えば，マクロ基地局１０２またはフェムトアクセスポイント）を介して受信されうる。
[0086]　コアネットワーク１１４は，その後で，ハンドオフリクエスト６７２のハンドインターゲットであるフェムトアクセスポイント１０６を決定する（７８４）。特定のフェムトアクセスポイント１０６がハンドインターゲットであるとを決定することは，多くの方法で行える。例えば，モバイル探知手法は，特定のフェムトアクセスポイント１０６がハンドインターゲットであるということを決定するために使用されうる。モバイル探知は，図８に関連して，下記でさらに詳細に説明される。別の例として，フェムトアクセスポイント１０６によって送信された追加情報は，ハンドインターゲットとしてフェムトアクセスポイント１０６を識別するために使用されうる。フェムトアクセスポイント１０６は，ハンドインターゲットとしてフェムトアクセスポイント１０６をユニークに識別するオーバーヘッドメッセージで，コアネットワーク１１４に対して追加情報を送信できる。この場合，無線通信デバイス１０４がハンドオフをリクエストしたとき，コアネットワーク１１４は，ハンドオフリクエスト６７２がフェムトアクセスポイント１０６に対応するということを知る。
[0087]　無線通信デバイス１０４は，フェムトアクセスポイント１０６と関連づけられたクローズド加入者グループ（ＣＳＧ）の一部分でない場合がある。無線通信デバイス１０４がフェムトアクセスポイント１０６へとハンドオフすることを試みたために，コアネットワーク１１４は，無線通信デバイス１０４がフェムトアクセスポイント１０６の近くにあるということ，そして，フェムトアクセスポイント１０６が干渉管理をイネーブルすべきであるということを推定する。
[0088]　
コアネットワーク１１４は，フェムトアクセスポイント１０６に対してハンドオフ情報５６６を送信する（７８６）。ハンドオフ情報メッセージ５６６は，フェムトアクセスポイント１０６に，近隣無線通信デバイス１０４がフェムトアクセスポイント１０６へのハンドオフを試みていることを通知できる。一構成では，ハンドオフ情報メッセージ５６６は，フェムトアクセスポイント１０６に，それがハンドインターゲットであることを通知できる。
[0089]　上で説明される図７の方法７８０は，図７Ａで図示されるミーンズプラスファンクションブロック７８０Ａに対応する様々なハードウェアおよび／またはソフトウェアのコンポーネント（単数または複数）および／モジュール（単数または複数）によって実行されうる。言いかえれば，図７で図示されるブロック７８２〜７８６は，図７Ａで図示されるミーンズプラスファンクションブロック７８２Ａ〜７８６Ａに対応する。
[0090]　図８は，モバイル探知のための方法７００のフロー図である。方法７００は，コアネットワーク１１４によって実行されうる。一構成では，方法７００は，コアネットワーク１１４の一部として装置によって実行されうる。コアネットワーク１１４は，無線通信デバイス１０４からハンドオフリクエスト６７２を受信する（７０２）。無線通信デバイス１０４はコアネットワーク１１４と直接通信することができないので，ハンドオフリクエスト６７２は，基地局（例えば，マクロ基地局１０２またはフェムトアクセスポイント）を介して受信されうる。
[0091]　
コアネットワーク１１４は，その後で，可能性のあるハンドインターゲットのリストを決定する（７０４）。可能性のあるハンドインターゲットのリストは，ハンドオフリクエスト６７２において無線通信デバイス１０４によって報告されたのと同じ擬似雑音（ＰＮ）コード６７６を使用するフェムトアクセスポイントを含みうる。擬似雑音（ＰＮ）コード６７６と無線通信デバイス１０４の周辺に関する補足情報に基づいて，コアネットワーク１１４は，合理的なサイズの可能性のあるハンドインターゲットのリストを決定する（７０４）。
[0092]　
コアネットワーク１１４は，その後で，可能性のあるハンドインターゲットのリスト上のフェムトアクセスポイントの各々から，無線通信デバイス１０４に関するアップリンク測定をリクエストする（７０６）。このリクエストは，無線通信デバイス１０４のアップリンク動作周波数を含みうるので，各フェムトアクセスポイントは，無線通信デバイス１０４のアップリンクパイロット信号を測定することができる。
[0093]　
コアネットワーク１１４は，可能性のあるハンドインターゲットのリスト上のフェムトアクセスポイントの各々から無線通信デバイス１０４に関するアップリンク測定値を受信する（７０８）。無線通信デバイス１０４に関する受信されたアップリンク測定値に基づいて，コアネットワーク１１４は，どのフェムトアクセスポイントがハンドインターゲットかを推定することができる（７１０）（この場合，フェムトアクセスポイント１０６がハンドインターゲットである）。コアネットワーク１１４は，その後，ハンドインターゲットに対してハンドオフ情報メッセージ５６６を送信する（７１２）。
[0094]　上で説明される図８の方法７００は，図８Ａで図示されるミーンズプラスファンクションブロック７００Ａに対応する様々なハードウェアおよび／またはソフトウェアのコンポーネント（単数または複数）および／モジュール（単数または複数）によって実行されうる。言いかえれば，図８で図示されるブロック７０２〜７１２は，図８Ａで図示されるミーンズプラスファンクションブロック７０２Ａ〜７１２Ａに対応する。
[0095]　図９は，干渉管理の別の方法のフロー図８００である。方法８００は，フェムトアクセスポイント１０６によって実行されうる。フェムトアクセスポイント１０６は，無線通信デバイス１０４のためのハンドインターゲットであってもよい。フェムトアクセスポイント１０６は，コアネットワーク１１４から，無線通信デバイス１０４のアップリンク測定のためのリクエストを受信する（８０２）。上述されるように，無線通信デバイス１０４のアップリンク測定のためのリクエストは，無線通信デバイス１０４によって使用されるアップリンクパイロット周波数を含みうる。フェムトアクセスポイント１０６は，無線通信デバイス１０４のアップリンクパイロット周波数にチューニングする（合わせる）ことができる（８０４）。
[0096]　フェムトアクセスポイント１０６は，その後，無線通信デバイス１０４からアップリンク信号を受信する（８０６）。例えば，フェムトアクセスポイント１０６は，無線通信デバイス１０４によって送信されたアップリンクパイロット信号を受信することができる。フェムトアクセスポイント１０６は，受信されたアップリンク信号から，アップリンク測定値を生成することができる（８０８）。フェムトアクセスポイント１０６は，その後で，コアネットワーク１１４に対して，アップリンク測定値を送信することができる（８１０）。
[0097]　
いったんコアネットワーク１１４が可能性のあるハンドインターゲットとしてフェムトアクセスポイント１０６を識別すると，フェムトアクセスポイント１０６は，コアネットワーク１１４からハンドオフ情報メッセージ５６６を受信することができる（８１２）。フェムトアクセスポイント１０６がハンドオフ情報メッセージ５６６を受信するとき（そして，ハンドインターゲットとなるように決定されるとき）（８１２），フェムトアクセスポイント１０６は，マクロ基地局１０２（または他のフェムトアクセスポイント）と通信している近隣無線通信デバイス１０４がフェムトアクセスポイント１０６によって送信されたパイロット信号またはビーコン信号をヒアリングできるということを知る。
[0098]　ハンドオフ情報メッセージ５６６は，フェムトアクセスポイント１０６への指示を含みうる。例えば，ハンドオフ情報メッセージ５６６は，無線通信デバイス１０４に対する干渉を制限するために，フェムトアクセスポイント１０６に，フェムトアクセスポイント１０６の送信電力を調整する（８１４）ように指示することができる。一構成では，ハンドオフ情報メッセージ５６６は，フェムトアクセスポイント１０６によって使用されるべき調整された送信電力を示すことができる。別の構成では，ハンドオフ情報メッセージ５６６は，送信電力の変更が必要とされるということのみを示し，フェムトアクセスポイント１０６が適切な電力調整を決定することを許容しうる。別の例として，ハンドオフ情報メッセージ５６６は，無線通信デバイス１０４に対する干渉を制限するためにキャリアを切り替える８１６ように，フェムトアクセスポイント１０６に指示することができる。一構成では，ハンドオフ情報メッセージ５６６は，フェムトアクセスポイント１０６が切り替わる異なるキャリア２４２はどれかを示すことができる。別の構成では，ハンドオフ情報メッセージ５６６は，切り替えが必要であるということのみを示し，フェムトアクセスポイントが異なるキャリア２４２を選択することを許容する。
[0099]　上で説明される図９の方法８００は，図９Ａで図示されるミーンズプラスファンクションブロック８００Ａに対応する様々なハードウェアおよび／またはソフトウェアのコンポーネント（単数または複数）および／モジュール（単数または複数）によって実行されうる。言いかえれば，図９で図示されるブロック８０２〜８１６は，図９Ａで図示されるミーンズプラスファンクションブロック８０２Ａ〜８１６Ａに対応する。）
　
（［当審仮訳］：
）
　上記記載及び図面並びに当業者の技術常識を考慮すると，
(i) 上記[0077]，[0078]，図５の記載によれば，コアネットワークはハンドオフリクエストを受信する。そして，上記[0078]の記載によれば，当該ハンドオフリクエストにはハンドインターゲットをユニークに識別するために用いられる情報が含まれるといえ，上記[0076]，[0084]の記載によれば，当該情報には，無線通信デバイスによって受信された信号のダウンリンクパイロット信号対雑音比（ＳＮＲ），検出されたハンドインターゲットの擬似雑音（ＰＮ）コードが含まれる。ここで，上記[0077]の記載によれば，ハンドインターゲットは，ハンドオフのターゲットのフェムトアクセスポイントである。
　したがって，引用例には，「ハンドインターゲットのフェムトアクセスポイントの擬似雑音（ＰＮ）コード及びダウンリンクパイロット信号対雑音比（ＳＮＲ）を備える，ハンドオフリクエストを受信すること」が記載されていると認められる。
(ii) 上記[0078]，[0084]によれば，コアネットワークがハンドインターゲットをユニークに識別するのに擬似雑音（ＰＮ）コードを使用するところ，異なるフェムトアクセスポイントの中で擬似雑音（ＰＮ）コードが再使用されるので，その場合はハンドインターゲットをユニークに識別するのに十分でないと解される。
　そして，上記[0079]，[0080]，[0084]の記載によれば，擬似雑音（ＰＮ）コードはハンドインターゲットをユニークに識別するのに十分でないことがあることから，ハンドインターゲットをユニークに識別するためにモバイル探知が使用される。ここで，上記[0079]，[0080]，[0091]〜[0093]，図５，図８の記載によれば，当該モバイル探知は，コアネットワークが，擬似雑音（ＰＮ）コード等に基づいて決定されたハンドインターゲットのリスト上の可能性のあるハンドインターゲットの各々に対して，無線通信デバイスのアップリンク測定のためのリクエストを送信し，当該リクエストを受信したフェムトアクセスポイントが，一定の時間にわたってアップリンクパイロット信号測定値（すなわち，チップあたりのエネルギー（Ｅｃｐ））を集め，コアネットワークにアップリンクパイロット信号強度測定値を送信し，コアネットワークが，アップリンクパイロット信号強度測定値に基づいて可能性のあるハンドインターゲットのうちのどれがユニークなハンドインターゲットであるかを推定するものである。
　したがって，引用例には，「前記擬似雑音（ＰＮ）コードに一部基づいて，前記擬似雑音（ＰＮ）コードを利用する１つまたは複数のフェムトアクセスポイントの少なくとも１つのフェムトアクセスポイントが前記ハンドインターゲットのフェムトアクセスポイントであるか推定すること」，「前記推定することは，前記１つまたは複数のフェムトアクセスポイントにおいて一定の時間にわたって集められたアップリンクパイロット信号強度測定値を用いて推定することを備える」ことが記載されていると認められる。
(iii) 上記[0081]，[0088]，[0092]，[0097]，図５，図８の記載によれば，コアネットワークは，推定されたハンドインターゲットのフェムトアクセスポイントにハンドオフ情報メッセージを送信する。
　したがって，引用例には，「推定されたハンドインターゲットのフェムトアクセスポイントにハンドオフ情報メッセージを送信すること」が記載されていると認められる。
(iv) 上記(i)〜(iii)にて認定した動作は，「無線通信のための方法」といえる。そして，上記[0048]の記載によれば，当該方法を利用する無線通信システムにはＷ−ＣＤＭＡ標準規格を実装するように設計されたものが含まれる。
　以上を総合すると，引用例には以下の発明（以下，「引用発明」という。）が記載されていると認める。
「　無線通信のための方法であって，
　ハンドインターゲットのフェムトアクセスポイントの擬似雑音（ＰＮ）コード及びダウンリンクパイロット信号対雑音比（ＳＮＲ）を備える，ハンドオフリクエストを受信すること，
　前記擬似雑音（ＰＮ）コードに一部基づいて，前記擬似雑音（ＰＮ）コードを利用する１つまたは複数のフェムトアクセスポイントの少なくとも１つのフェムトアクセスポイントが前記ハンドインターゲットのフェムトアクセスポイントであるか推定することと，
　推定されたハンドインターゲットのフェムトアクセスポイントにハンドオフ情報メッセージを送信することと，を備え，
　ここにおいて，前記推定することは，前記１つまたは複数のフェムトアクセスポイントにおいて一定の時間にわたって集められたアップリンクパイロット信号強度測定値を用いて推定することを備える，
　方法。」
（２）公知技術
　原査定の拒絶理由に引用されたQualcomm  Europe，Mechanism for pre-Rel-9 UE inbound mobility（［当審仮訳］：プレリリース９のＵＥのインバンウンド移動性のためのメカニズム），3GPP TSG-RAN WG3#65 R3-091870，２００９年８月２４日（以下，「公知例」という。）には，図面とともに以下の事項が記載されている。
「
（中略）
」（１〜２ページ，３ページ）
（［当審仮訳］：
１．はじめに
　[1] は，周波数内の場合（例えば，混合マクロ−フェムト配置，企業配置）における，
プレリリース９ＵＥのＨＮＢへのインバウンドハンドオーバーに関するＰＳＣ混乱問題を解決する方法
　測定報告のこの情報により，[1] の方法が「何らかのマジック／簡単な解決策」[2]であるという要件を満たしていることが[1] の中で示されている。
　　1. 非常に信頼性が高い（例えば，典型的な住宅都市シナリオ及び呼の長さにおいて，９９．６％以上のＨＮＢ識別成功率）。
　　2. ＨＮＢＡＰ登録要求手順への少数のＨＮＢ識別ＩＥの追加のみを要する。
　　3. マクロネットワークの変更があったとしても最小限で実装可能
　主張を証明するために，本寄書は以下の点を述べる。
　　a. 本方法によって達成可能な性能
　　b. ＨＮＢの識別に至るステップ毎の手順
　　c. 規格と実装への影響
２．
プレリリース９ＵＥのインバンウンド移動性手続
　ＨＮＢの識別を導くインバンウンド移動性ステップは図２．１に示される。
（図２．１は省略。）
　
ＨＮＢ識別方法の基礎は，ＵＥ測定報告メッセージ（ＭＲＭ）内，及び各ＨＮＢのためのＨＮＢ−ＧＷ内の両方に，以下の情報が存在することによって構成される。
　−ＨＮＢのＰＳＣ（ＰＳＣ
ＨＮＢ
）
　−マクロＮＢのＰＳＣ（ＰＳＣＭＮＢ）
　−[1] で説明したように，ＨＮＢとマクロＮＢの間のフレーム差（ΔＳＦＮＭＮＢ−ＨＮＢ）
　インバウンド移動性ステップは次のとおり（ステップには図２．１のように番号付けされている）。
　　1. ＵＥがＨＮＢ　ＰＳＣを検出する
　　2. ＵＥがＲＮＣにＭＲＭを送信する
　　　−既存のハンドオーバーイベントによってトリガされる
　　　−デルタＳＦＮ情報を含める
　　3. ＲＮＣがＣＮに再配置必要を送信する
　　　−ＭＲＭはＲＡＮＡＰメッセージに含まれる
　　　−ＭＲＭの包含はオプションであるため，実装への潜在的な影響
　　4. ＣＮがＨＮＢ−ＧＷに再配置要求を送信する
　　
5. ＨＮＢ−ＧＷがターゲットＨＮＢを識別する
　　　−ＵＥ　ＭＲＭからの（ＰＳＣ
ＭＮＢ
，ＰＳＣ
ＨＮＢ
，ΔＳＦＮ）とＨＮＢ−ＧＷ内の同様の情報とのマッチングに基づく
　　　−標準規格への影響：
　　　　・ ＨＮＢ−ＧＷはＨＮＢのタプル（ＰＳＣＭＮＢ，ＰＳＣＨＮＢ，ΔＳＦＮ）を収集しなければならない
　　　　・ＨＮＢ−ＧＷに収集したタプルをステップ4からのＭＲＭとマッチングさせる
　　6. ターゲットＨＮＢがＵＥに許可されている場合，ＨＮＢ−ＧＷは再配置要求をＨＮＢに転送する
　ＵＥがＨＮＢへのアクセスを許可されている場合，ＨＮＢは再配置要求確認応答を介してＵＥハンドオーバー命令をＣＮに送信し，ＣＮは再配置命令を介してそれをＲＮＣに転送する。次いで，ＲＮＣはハンドオーバー命令をＵＥに送信する。これらのステップはＨＮＢの識別後に行われ，標準規格の変更が必要ないため，図２．１には示されていない。
（中略）
６．参考
（文献名は省略。）　）
　上記記載によれば，プレリリース９ＵＥのインバンウンド移動性手続として，ＨＮＢ−ＧＷは，少なくともＵＥ測定報告メッセージ（ＭＲＭ）内に存在するＰＳＣＨＮＢとＨＮＢ−ＧＷ内に存在するＰＳＣＨＮＢとのマッチングに基づいてターゲットＨＮＢを識別するといえる。ここで，上記「６．参考」の記載からも明らかなように，公知例は３ＧＰＰ　ＴＳ２５シリーズに規定されるＵＭＴＳを前提としていると解されるから，プレリリース９ＵＥは，Ｗ−ＣＤＭＡのプレリリース９ＵＥを含むと解される。
　したがって，「Ｗ−ＣＤＭＡのプレリリース９ＵＥのインバンウンド移動性手続として，測定報告メッセージに含まれるＨＮＢのＰＳＣ等に基づいてターゲットＨＮＢを識別する。」ことは公知技術である。
　なお，上記２の「７．特開２００９−２５３５６９号公報」は，拒絶査定時に，意見書の主張に対して「通常，無線通信デバイスからハンドオフリクエストを受信して，ハンドオフが許可される場合（例えば，クローズド加入者グループ（ＣＳＧ）の一部分である場合），コアネットワーク５１４及びマクロ基地局５０２が，フェムトアクセスポイント５０６へのハンドオフ手続きを行う。」ことが明らかであることを示すために追加されたものであるが，「クローズド加入者グループ（ＣＳＧ）」は，本願発明及び上記（１）で認定した引用発明とは無関係であるから，当該文献についての認定は割愛する。また，上記２の「８．国際公開第２００９／１４４９３０号」及び「９．国際公開第２００９／００１５５２号」は，拒絶査定時に，「ＲＳＳＩの変化が閾値以上である場合に，状態の変化を検出する。」ことが周知技術であることを示すために追加された周知例であるが，証拠を示すまでもなく「値を用いた処理において当該値を閾値処理する。」ことは常套手段にすぎないから，当該文献についての認定も割愛する。
４　対比・判断
　本願発明と引用発明とを対比すると，
(i) 本願発明の「ワイヤレス通信」，「ターゲットフェムトノード」，「ハンドオーバーメッセージ」と，引用発明の「無線通信」，「ハンドインターゲットのフェムトアクセスポイント」，「ハンドオフリクエスト」とは，それぞれ表記が異なるのみであって差違はない。
(ii) 本願発明の「ターゲットフェムトノードに関連するプライマリスクランブリングコード（ＰＳＣ）」と，引用発明の「ハンドインターゲットのフェムトアクセスポイントの擬似雑音（ＰＮ）コード」とは，「ターゲットフェムトノードに関連するコード」といえる点で共通する。
　引用発明の「ハンドインターゲットのフェムトアクセスポイントの擬似雑音（ＰＮ）コード」，「ダウンリンクパイロット信号対雑音比（ＳＮＲ）」を「パラメータ」と称することは任意である。また，引用発明の「ハンドオフリクエスト」は，当該リクエストを送信した無線通信デバイスがハンドオフするためのものであるから，「無線通信デバイスのための」ものであることは明らかである。
　したがって，本願発明と引用発明は，「ターゲットフェムトノードに関連するコードを含む複数のパラメータを備える，デバイスのためのハンドオーバーメッセージを受信すること」を備える点で共通している。
(iii) 引用発明の「前記擬似雑音（ＰＮ）コードに一部基づいて，前記擬似雑音（ＰＮ）コードを利用する１つまたは複数のフェムトアクセスポイントの少なくとも１つのフェムトアクセスポイントが前記ハンドインターゲットのフェムトアクセスポイントであるか推定すること」及び「前記１つまたは複数のフェムトアクセスポイントにおいて一定の時間にわたって集められたアップリンクパイロット信号測定値測定を用いて推定すること」は，いずれもハンドインターゲットのフェムトアクセスポイントを識別するためのフィルタ処理といえる。そして，引用発明のこれらの処理は，同じ擬似雑音（ＰＮ）コードを共有するフェムトアクセスポイントからハンドインターゲットのフェムトアクセスポイントを識別するためのものであることは明らかであり，１つまたは複数のフェムトアクセスポイントに１つまたは複数のフィルタを適用するものといえる。
　してみると，引用発明の「前記擬似雑音（ＰＮ）コードに一部基づいて，前記擬似雑音（ＰＮ）コードを利用する１つまたは複数のフェムトアクセスポイントの少なくとも１つのフェムトアクセスポイントが前記ハンドインターゲットのフェムトアクセスポイントであるか推定すること」は，本願発明と「前記複数のパラメータに一部基づいて，前記コードを利用する１つまたは複数のフェムトノードに複数のフィルタを適用し，前記１つまたは複数のフェムトノードの少なくとも１つのフェムトノードが前記ターゲットフェムトノードに相当するかどうかを判定すること」の点で共通する。
(iv) 引用発明の「推定されたハンドインターゲットのフェムトアクセスポイント」は「ハンドオフ情報メッセージ」を受信することによりハンドオフの「準備」をすることは自明である。したがって，引用発明の「推定されたハンドインターゲットのフェムトアクセスポイントにハンドオフ情報メッセージを送信すること」は，本願発明の「前記デバイスのハンドインを受け入れるために，前記少なくとも１つのフェムトノードを準備すること」に含まれる。
(v) 本願発明の「アップリンク（ＵＬ）受信信号強度インジケータ（ＲＳＳＩ）フィルタを前記１つまたは複数のフェムトノードに適用」することと，引用発明の「前記１つまたは複数のフェムトアクセスポイントにおいて一定の時間にわたって集められたアップリンクパイロット信号測定値測定を用いて推定すること」とは，「アップリンク（ＵＬ）受信信号強度に関するフィルタを前記１つまたは複数のフェムトノードに適用」することといえる点で共通する。
　したがって，本願発明の「ここにおいて，前記１つまたは複数のフィルタを前記適用することは，アップリンク（ＵＬ）受信信号強度インジケータ（ＲＳＳＩ）フィルタを前記１つまたは複数のフェムトノードに適用して，前記デバイスの存在が，前記１つまたは複数のフェムトノードにおいて測定されるＵＬ　ＲＳＳＩの上昇が閾値レベルを超えることを引き起こすかどうか，および／または，前記デバイスの存在が，ある期間にわたる前記ＵＬ　ＲＳＳＩの変化が少なくとも閾値の変化であることを引き起こすかどうかにしたがって，前記デバイスが存在すると判定することを備える」と，引用発明の「ここにおいて，前記推定することは，前記１つまたは複数のフェムトアクセスポイントにおいて一定の時間にわたって集められたアップリンクパイロット信号強度測定値を用いて推定することを備える」とは，「ここにおいて，前記複数のフィルタを前記適用することは，アップリンク（ＵＬ）受信信号強度に関するフィルタを前記１つまたは複数のフェムトノードに適用することを備える」点で共通する。
　したがって，本願発明と引用発明とは，以下の点で一致し，また，相違している。
（一致点）
「(a1)　ワイヤレス通信のための方法であって，
(a2)　ターゲットフェムトノードに関連するコードを含む複数のパラメータを備える，デバイスのためのハンドオーバーメッセージを受信することと，
(a3)　前記複数のパラメータに一部基づいて，前記コードを利用する１つまたは複数のフェムトノードに複数のフィルタを適用し，前記１つまたは複数のフェムトノードの少なくとも１つのフェムトノードが前記ターゲットフェムトノードに相当するかどうかを判定することと，
(a4)　前記デバイスのハンドインを受け入れるために，前記少なくとも１つのフェムトノードを準備することと，を備え，
(a5)　ここにおいて，前記複数のフィルタを前記適用することは，アップリンク（ＵＬ）受信信号強度に関するフィルタを前記１つまたは複数のフェムトノードに適用することを備える，
　方法。」
（相違点１）一致点の「ターゲットフェムトノードに関連するコード」の「コード」に関し，本願発明は「プライマリスクランブリングコード（ＰＳＣ）」であるのに対し，引用発明は「擬似雑音（ＰＮ）コード」である点。
（相違点２）一致点の「アップリンク（ＵＬ）受信信号強度に関するフィルタを前記１つまたは複数のフェムトノードに適用すること」に関し，本願発明は「アップリンク（ＵＬ）受信信号強度インジケータ（ＲＳＳＩ）フィルタを前記１つまたは複数のフェムトノードに適用して，前記デバイスの存在が，前記１つまたは複数のフェムトノードにおいて測定されるＵＬ　ＲＳＳＩの上昇が閾値レベルを超えることを引き起こすかどうか，および／または，前記デバイスの存在が，ある期間にわたる前記ＵＬ　ＲＳＳＩの変化が少なくとも閾値の変化であることを引き起こすかどうかにしたがって，前記デバイスが存在すると判定すること」であるのに対し，引用発明は「前記１つまたは複数のフェムトアクセスポイントにおいて一定の時間にわたって集められたアップリンクパイロット信号強度測定値を用いて推定すること」である点。
　上記相違点について検討する。
（相違点１について）
　本願明細書の【０１２１】に記載されているように，本願発明はデバイスがＷ−ＣＤＭＡのプレリリース９デバイスである場合に適用されることを含むところ，上記３（２）のとおり「Ｗ−ＣＤＭＡのプレリリース９ＵＥのインバンウンド移動性手続として，測定報告メッセージに含まれるＨＮＢのＰＳＣ等に基づいてターゲットＨＮＢを識別する。」ことは公知技術であり，ＨＮＢはホームノードＢであって典型的なフェムトノードであることが技術常識である。そして，引用発明の方法を利用する無線通信システムにはＷ−ＣＤＭＡ標準規格を実装するように設計されたものが含まれることに鑑みれば，引用発明の「ハンドインターゲットのフェムトアクセスポイントの擬似雑音（ＰＮ）コード」を「ターゲットフェムトノードに関連するプライマリスクランブリングコード（ＰＳＣ）」とすることは，当業者が容易に想到し得ることである。
（相違点２について）
　引用発明は，「アップリンクパイロット信号強度測定値」をどのように用いて「ハンドインターゲットのフェムトアクセスポイントであるか推定する」のか特定していない。しかしながら，アップリンクパイロットは通信デバイスが送信するものであるから，引用発明の「アップリンクパイロット信号強度測定値」は，通信デバイスがフェムトアクセスポイントに近づいてくれば値が大きくなることは明らかであり，また，値を用いた処理において当該値を閾値処理することは常套手段である。そして，通信デバイスのハンドインターゲットとなるフェムトアクセスポイントは，近くに当該通信デバイスが存在するフェムトアクセスポイントであるべきであることは当然のことに過ぎない。してみると，引用発明における「推定」の具体的動作として，「前記デバイスの存在が，前記１つまたは複数のフェムトノードにおいて測定されるＵＬ　ＲＳＳＩの上昇が閾値レベルを超えることを引き起こすかどうかにしたがって，前記デバイスが存在すると判定する」ようにすることは，当業者が容易に想到し得ることである。
　また，「および／または」の「または」は択一的な選択肢であることを示すものであるから，本願発明は「前記デバイスの存在が，ある期間にわたる前記ＵＬ　ＲＳＳＩの変化が少なくとも閾値の変化であることを引き起こすかどうか」なる構成を備えないものを含んでいるため，引用発明が当該構成を備えていないことは相違点とはならない。
５　むすび
　以上のとおり，本願発明は引用発明及び公知技術に基づいて当業者が容易に発明をすることができたものであるから，特許法第２９条第２項の規定により，特許を受けることができない。
　したがって，他の請求項に係る発明について検討するまでもなく，本願は拒絶すべきものである。
　よって，結論のとおり審決する。